(57)【要約】【課題】静電気を帯電した人が、金属物に接触する直前に、静電気を放電させる携帯用除電具を提供する。又、携帯用除電具として、柔らかく意匠性に優れ、衣服のポケットに入れても、ソフトで違和感のない除電具を提供する。【解決手段】本発明の携帯用除電具は、静電気を帯電した人の静電気を、人の指から導電シート層５を通って図１の携帯用除電具の先端部分より金属物へ接触直前に放電させる。又、導電シートを含む積層シートには、軽量で形状安定なクッション性の材料、柔軟、鮮明な発色の印刷が可能な材料を用い、溶着溶断によって本体は膨らみを有し、外枠の端末は薄く成型して立体感を有する除電具にする。【選択図】図１
2005044770.tif 000002
【特許請求の範囲】
【請求項１】
本発明の携帯用除電具は、導電シートを含む積層シートから成る事を特徴とする。
【請求項２】
本発明の携帯用除電具は、導電シートを含む積層シートを溶着溶断して一体化成型して成る事を特徴とする。
【請求項３】
本発明でいう導電シートとは、不織布、織物、編み物に、導電性加工を施した物、又は導電性加工を施した繊維を０．２％から９９．９％使用し、その他繊維を混合して成る導電シート状物、又は導電性繊維１００％から成るシート状物、或いは、導電性粉末を混合したプラスチック、又はプラスチックに導電性加工を施したシート、又はシート状物素材に導電ポリマーを塗布した物等が挙げられる。そして、それらの表面電気抵抗値は、０．２オーム／平方ｃｍから９００メガオーム／平方ｃｍの範囲であるが、特に１００オーム／平方ｃｍから９メガオーム／平方ｃｍが好ましい。
【請求項４】
本発明でいう導電シート含む積層シートとは、導電シートを少なくとも表層又は裏層に用いた２層以上のシートを特徴とし、発泡ウレタンシート、発泡スチレンシート、その他の高分子発泡シート、ＰＥＴ、ＰＰ、ＰＥ、ＰＶＣ、ＥＶＡ、ＡＮ等のプラスチックシート、織物、編み物、不織布、皮革等を用いて積層にしたものである。
【請求項５】
積層シートを溶着溶断して一体化成型と成し得るには、熱溶融性高分子材料のシートが１層以上含まれることが必要である。また、熱溶融性高分子材料を表と裏に用いた場合は、その内層部には熱溶融しない材料シートでも良い。積層シート全てが熱溶融性高分子材料シートであれば最も好ましい。
【請求項６】
溶着溶断に用いる装置には、高周波ウエルダー、超音波ウエルダーやその他の溶着溶断可能な装置や用具を用い、１３０℃から４５０℃の乾熱条件にて１秒から５分の間、圧着して外形部分を熱溶着させて一体化成型する。
【請求項７】
一体化成型の形状とは丸型、三角、四角、星型、鍵型、塔型、ホーク型、槍型、刀型等、又はそれらの合成型である。静電気放電をし易い形状としては、先端に突起を有する形状を特徴とする。
【発明の詳細な説明】
【技術分野】
【０００１】本発明は、人体に帯電した静電気を除去するための携帯用の除電具に関する。
【背景技術】
【０００２】従来の携帯用除電具には導電性繊維を用いた房や紐から成る除電具や、導電性プラスチック成型の除電具が使用されていた。
【発明の開示】
【発明が解決しようとする課題】
【０００３】従来の導電性繊維を用いた房や紐から成る除電具や、導電性プラスチック成型の除電具は、人体に帯電した静電気を除去する為に、金属物に接触させなければ放電出来ない物であった。
【課題を解決するための手段】
【０００４】本発明の携帯用除電具は、導電シートを含む積層シートから成る事を特徴とする携帯用除電具。【０００５】本発明の携帯用除電具は、導電シートを含む積層シートを溶着溶断して一体化成型と成る携帯用除電具。【０００６】本発明でいう導電シートとは、不織布、織物、編み物に、導電性加工を施した物、又は導電性加工を施した繊維を０．２％から９９．９％使用し、その他繊維を混合して成る導電シート状物、又は導電性繊維１００％から成るシート状物、或いは、導電性粉末を混合したプラスチック、又はプラスチックに導電性加工を施したシート、又はシート状物素材に導電ポリマーを塗布した物等が挙げられる。そして、それらの表面電気抵抗値は、０．２オーム／平方ｃｍから９００メガオーム／平方ｃｍの範囲であることが望ましく、特に、１００オーム／平方ｃｍから１メガオーム／平方ｃｍが好ましい。【０００７】本発明でいう導電シート含む積層シートとは、導電シートを少なくとも表層又は裏層に用いた２層以上のシートを特徴とし、発泡ウレタンシート、発泡スチレンシート、その他の高分子発泡シート、ＰＥＴ、ＰＰ、ＰＥ、ＰＶＣ、ＥＶＡ、ＡＮ等のプラスチックシート、織物、編み物、不織布、皮革等を用いて積層にしたものである。【０００８】積層シートを溶着溶断して一体化成型と成し得るには、熱溶融性高分子材料のシートが１層以上含まれることが必要である。また、熱溶融性高分子材料を表と裏に用いた場合は、その内層部には熱溶融しない材料シートでも良い。積層シート全てが熱溶融性高分子材料シートであれば最も好ましい。【０００９】溶着溶断に用いる装置には、高周波ウエルダー、超音波ウエルダーやその他の溶着溶断可能な装置や用具を用い、１３０℃から４５０℃の乾熱条件にて外形部分を熱溶着させて一体化成型する。【０００１０】一体化成型の形状とは丸型、三角、四角、星型、鍵型、塔型、ホーク型、槍型、刀型等、又はそれらの合成型である。静電気放電をし易い形状としては、先端に突起を有する形状を特徴とする。
【発明の効果】
【０００１１】本発明の携帯用除電具は、静電気を帯電した人が、金属物に接触直前に素早く放電出来る様にした。積層シートには、鮮明な印刷を可能とするシート材料を表層に使用でき、内層には形状安定性に優れた材料や、クッション性をもつ、軽く膨らみの有る材料等を用いる事が出来る。又、それらの特徴のある材料を複合した積層シートによって、外枠は薄く、本体部分はふっくらとして柔らかい立体感の有る意匠性に優れた物である。携帯用として衣服のポケット入れても、ソフトで軽く違和感のないものである。
【発明を実施するための最良の形態】
【０００１２】以下、本発明の実施の形態に付いて図面を用いて説明する。
図１は、高周波ウエルダー機によって溶着溶断を行い、鍵型に一体成型した携帯用除電具の説明図である。この携帯用除電具を、静電気に帯電した人が用いると、静電気は、図２の符号５の導電シート層を通って、図１の鍵型先端から、金属物等に放電される。
【実施例１】
【０００１３】ナイロンスパンボンド不織布（旭化成（株）、タイプ５０５０、目付け５０ｇ／ｍ２）に硫化銅化合物による導電性加工（日本蚕毛染色（株））を施したシートを裏層に用い、ポリ塩化ビニールシート（厚さ７０μ）を表層とし、内層にポリウレタンシート（厚さ３ｍｍ）を挟んで３層に重ね、幅３ｃｍ、長さ７ｃｍ、厚さ３．５ｍｍのシート面に高周波ウエルダー加工機により鍵型に一体成型し、実施例１とした。
【比較例１】
【０００１４】アクリルの導電性繊維サンダーロン（日本蚕毛染色（株））１００デニールを重量比で３０％使用し、一般のアクリル繊維１００デニールを重量比７０％で用い、均等に混合し、繊維を平行にして直径５ｍｍに束ね、片端を金属で固定し、長さ６ｃｍの房状の除電具を作成し比較例１とした。
【比較例２】
【０００１５】アクリルの導電性繊維サンダーロン（日本蚕毛染色（株））１００デニールを重量比で３０％使用し、一般のナイロン長繊維１００デニールを重量比７０％で用い、均等に混合し、直径２ｍｍの組紐にして、長さ２５ｃｍに切り取り、その両端を金具で留め付けた組紐のループ状除電具を作成し、比較例２とした。
【０００１６】静電気放電テストの実施
島津理科学（株）製の静電気発生装置（バン・デ・グラフ）に約１０ＫＶの静電気を帯電させ、アースを装着させた試料３種を静電気発生装置に接触させた場合と、非接触の場合の静電気放電テストを実施した。静電気帯電圧の測定には春日電機（株）製のＫＳＤ−０１０２を用いて測定した。
表１はその結果を表す。
2005044770.tif 000003
【０００１７】実施例１は、静電気発生装置に簡単に近づける事が出来、鍵型の先端が接近する事で接触することなく静電気の放電が出来た。
比較例１の房状除電具は、繊維束の先端がバラバラに垂れ下がる性質から、静電気発生装置に上手く接触する事が出来なかった。また、静電気発生装置に接近しても放電の効果は、実施例１より少なかった。
比較例２の組紐ループ状除電具は、ループ状の性質から、静電気発生装置の上手く接触する事が出来なかった。また、静電気発生装置に接近しても放電の効果は、実施例１や比較例１より少なかった。
【図面の簡単な説明】
【０００１８】
【図１】本発明の実施例１を示す説明図。
【図２】本発明の実施例１に使用する積層シートの説明図
【符号の説明】
【０００１９】１：携帯用除電具
２：積層シート
３：ポリ塩化ビニール層
４：発泡ウレタンシート層
５：導電シート層
６：溶融溶断外枠
【図１】
2005044770.tif 000004
【図２】
2005044770.tif 000005